(57)【要約】【課題】コンバインにおいて、脱穀装置のシーブケースを楽に出し入れできるメンテナンス治具を提供する。【解決手段】作業床に対して平面移動自在であり、コンバインの機体の下方に差し込み可能なベース部６０を備えている。ベース部６０の後部に立設されて、脱穀装置の後部の開口部を介してシーブケースの後部を支持可能な後支持部７０を備えている。ベース部６０の前部に立設されてシーブケースの前部を支持可能である前支持部９０を備えている。前支持部９０がシーブケースの前部を支持する高さを変更可能である。【選択図】図３
2019126285.tif 000002
【特許請求の範囲】
【請求項１】
コンバインにおいて、刈取部によって収穫された作物を脱穀処理する脱穀装置のうちのシーブケースを、前記脱穀装置の後部に形成された開口部から出し入れする際に用いられるメンテナンス治具であって、
作業床に対して平面移動自在であり、前記コンバインの機体の下方に差し込み可能なベース部と、
前記ベース部の後部に立設されて、前記開口部を介して前記シーブケースの後部を支持可能な後支持部と、
前記ベース部の前部に立設されて前記シーブケースの前部を支持可能であると共に、前記シーブケースの前部を支持する高さを変更可能な前支持部と、が備えられているメンテナンス治具。
【請求項２】
前記前支持部は、前記ベース部から取外し可能である請求項１に記載のメンテナンス治具。
【請求項３】
前記ベース部の横幅が変更可能である請求項１または２に記載のメンテナンス治具。
【請求項４】
前記ベース部の前部に、平面視において前向きに開口する凹入部が備えられ、
前記ベース部を前記機体の下方に差し込む際に、前記凹入部に前記コンバインの走行装置が進入可能であるように構成されている請求項１から３のいずれか一項に記載のメンテナンス治具。
【請求項５】
前記後支持部に、前記ベース部に立設された後支柱と、前記後支柱の左右両側から前向きに突出され、前記シーブケースの後部を支持する左右の支持アームと、が備えられ、
前記ベース部のうちの前記後支柱よりも左側に位置する左ベース部分における横幅が変更可能であり、
前記左ベース部分の横幅変更によって前記凹入部の横幅が変更可能である請求項４に記載のメンテナンス治具。
【請求項６】
前記後支持部に、前記ベース部に立設された後支柱と、前記後支柱の左右両側から前向きに突出され、前記シーブケースの後部を支持する左右の支持アームと、が備えられ、
前記左右の支持アームの左右間隔が変更可能であり、かつ、前記左右の支持アームの高さ位置が変更可能である請求項１から５のいずれか一項に記載のメンテナンス治具。
【請求項７】
前記左右の支持アームの前記後支柱から前方への突出長さを変更可能である請求項６に記載のメンテナンス治具。
【請求項８】
前記左右の支持アームの前端部に、前向きに開口し、前記シーブケースの揺動軸を挿入可能な受部と、前記受部の開口を開閉して、前記揺動軸の前記受部からの抜け出しを規制可能なロック部と、が備えられている請求項５から７のいずれか一項に記載のメンテナンス治具。
【請求項９】
前記後支持部に、前記左右の支持アームとは別のアタッチメントの取付けが可能である請求項５から８のいずれか一項に記載のメンテナンス治具。
【請求項１０】
前記ベース部の前部に、前記前支持部とは別のアタッチメントの取付けが可能である請求項１から９のいずれか一項に記載のメンテナンス治具。
【請求項１１】
収穫機において、作物を刈り取るバリカン型の刈取装置のうちの刈刃を、着脱する際に用いられるメンテナンス治具であって、
作業床に対して平面移動自在であり、前記刈取装置の下方に差し込み可能なベース部と、
前記ベース部に立設されて、前記刈刃を支持可能な支持部と、が備えられているメンテナンス治具。
【請求項１２】
前記支持部は、前記刈刃を下向きの状態で保持可能な第１支持状態と、前記刈刃を水平の状態で保持可能な第２支持状態と、に状態変更可能である請求項１１に記載のメンテナンス治具。
【請求項１３】
収穫機において、脱穀装置の後部に設けられて排稈を細断処理する排稈細断装置のうちの回転刃を、着脱する際に用いられるメンテナンス治具であって、
作業床に対して平面移動自在であり、前記排稈細断装置の下方に差し込み可能なベース部と、
前記ベース部に立設されて、前記回転刃を支持可能な支持部と、が備えられているメンテナンス治具。
【発明の詳細な説明】
【技術分野】
【０００１】
本発明は、コンバインや収穫機において用いられるメンテナンス治具に関する。
【背景技術】
【０００２】
コンバインとしては、一般に、例えば特許文献１に示されるように、圃場の作物が刈取部によって収穫され、収穫された作物が脱穀部（脱穀装置）によって脱穀処理され、脱穀部に脱穀処理物の選別処理を行なうシーブケースが備えられたものがある。
【０００３】
コンバインとしては、刈取部の刈取装置として、バリカン型の刈取装置が採用されているものがある。
【０００４】
コンバインとしては、例えば特許文献１に示されるように、脱穀装置の後部にカッタ（回転刃）を有する排稈細断装置が設けられ、脱穀処理後の排稈がカッタによって細断処理されるものがある。
【先行技術文献】
【特許文献】
【０００５】
【特許文献１】特開２０１３−１６９１８３号公報
【発明の概要】
【発明が解決しようとする課題】
【０００６】
脱穀装置にシーブケースが備えられたコンバインでは、一般に、脱穀装置の後部に開口部が形成され、この開口部からシーブケースを出し入れするよう構成されている。しかし、シーブケースの脱穀装置前後方向での長さが長くなりがちであり、かつ、シーブケースが重量物になりがちであるので、シーブケースの出し入れ作業に多くの作業者及び多大な労力が必要になっている。
【０００７】
刈取部にバリカン型の刈取装置が採用されているコンバインでは、刈取装置の刈刃を研磨や補修するなどのメンテナンスが必要になる。刈刃の機体横幅方向での長さが長くなりがちであるので、かつ、刈刃を持ちにくいので、刈刃の刈取装置に対する着脱作業に多くの作業者及び多大な労力が必要になっている。
【０００８】
排稈細断装置に回転刃が採用されているコンバインでは、回転刃を研磨や補修するなどのメンテナンスが必要になる。回転刃の回転軸芯方向での長さが長くなりがちであるので、かつ、回転刃を持ちにくいので、回転刃の排稈細断装置に対する着脱作業に多くの作業者及び多大な労力が必要になっている。
【０００９】
本発明は、シーブケースを楽に出し入れできるメンテナンス治具、刈刃を楽に着脱できるメンテナンス治具、回転刃を楽に着脱できるメンテナンス治具を提供する。
【課題を解決するための手段】
【００１０】
本発明は、
コンバインにおいて、刈取部によって収穫された作物を脱穀処理する脱穀装置のうちのシーブケースを、前記脱穀装置の後部に形成された開口部から出し入れする際に用いられるメンテナンス治具であって、
作業床に対して平面移動自在であり、前記コンバインの機体の下方に差し込み可能なベース部と、
前記ベース部の後部に立設されて、前記開口部を介して前記シーブケースの後部を支持可能な後支持部と、
前記ベース部の前部に立設されて前記シーブケースの前部を支持可能であると共に、前記シーブケースの前部を支持する高さを変更可能な前支持部と、が備えられている。
【００１１】
本構成によると、ベース部を機体の下方に差し込むことにより、後支持部が開口部を介してシーブケースの後部を支持する。シーブケースの後部を支持した状態のベース部を機体後方側に平面移動させることにより、シーブケースの後部が開口部から機体後方側へ引き出される。シーブケースの後部が機体後方側へ引き出されて、シーブケースのうち、後支持部が支持する後部よりも前側の部位が開口部から機体後方側へ出ると、支持高さが前側部位の高さに対応した状態の前支持部によって前側部位を支持させることができる。後支持部及び前支持部がシーブケースを支持した状態にあるベース部を機体後方側にさらに平面移動させることにより、シーブケースの荷重が後支持部及び前支持部を介してベース部に支持されつつシーブケースが機体後方側にさらに引き出され、シーブケースの全体が開口部から脱穀装置の後方に取り出される。
【００１２】
上記した取出しの場合の順序と逆の順序で、メンテナンス治具を操作することにより、シーブケースの荷重が後支持部及び前支持部によって支持されつつシーブケースが開口部から脱穀装置の内部に押し込まれ、シーブケースの全体が脱穀装置に収められる。
【００１３】
つまり、ベース部を平面移動させることにより、シーブケースの荷重をベース部に支持させつつシーブケースを開口部から出し入れできるのであり、ベース部を平面移動させる軽い作業負担でシーブケースを出し入れできる。
【００１４】
尚、前支持部の「高さ変更」には、高さの異なる前支持部の取り換えや、前支持部の高さ位置を調整したり、前支持部の長さを調整するものも含まれる。
【００１５】
本発明においては、前記前支持部は、前記ベース部から取外し可能であると好適である。
【００１６】
本構成によると、前支持部を取外しておくことにより、ベース部を機体の下方に差し込む際に前支持部が障害にならないので、ベース部を機体の下方に差し込みやすく、シーブケースの取出し作業を行ないやすい。
【００１７】
本発明においは、前記ベース部の横幅が変更可能であると好適である。
【００１８】
本構成によれば、機体や脱穀装置の横幅が異なる場合、機体や脱穀装置の横幅に対応させてベース部の横幅を変更できるので、機体や脱穀装置の横幅が異なる場合でも、ベース部を機体の下方に適確にあるいは安定的に差し込むことができる。
【００１９】
本発明においては、前記ベース部の前部に、平面視において前向きに開口する凹入部が備えられ、前記ベース部を前記機体の下方に差し込む際に、前記凹入部に前記コンバインの走行装置が進入可能であるように構成されていると好適である。
【００２０】
コンバインでは、一般に、脱穀装置が走行装置の上方に配置されている。この点に着目し、走行装置を凹入部に入り込む状態でベース部を機体の下方に入り込ませるので、ベース部を脱穀装置の下方に適確かつ安定的に位置させて、後支持部及び前支持部をシーブケースに適確に作用させることができる。
【００２１】
本発明においては、前記後支持部に、前記ベース部に立設された後支柱と、前記後支柱の左右両側から前向きに突出され、前記シーブケースの後部を支持する左右の支持アームと、が備えられ、前記ベース部のうちの前記後支柱よりも左側に位置する左ベース部分における横幅が変更可能であり、前記左ベース部分の横幅変更によって前記凹入部の横幅が変更可能であると好適である。
【００２２】
脱穀装置や機体の横幅が異なる場合でも、ベース部のうちの後支柱を有する右ベース部分を脱穀装置の下方に位置させることにより、右の支持アームをシーブケースに適確に作用させることができる。この点に着目し、脱穀装置や機体の横幅が異なる場合、脱穀装置や機体の横幅に対応させて左ベース部分の横幅を変更して凹入部の横幅を走行装置が入り込む横幅に調節することにより、凹入部に走行装置が入り込む状態でベース部を機体の下方に入り込ませ、ベース部を脱穀装置の下方に適確かつ安定的に位置させるものである。
【００２３】
従って、脱穀装置や機体の横幅が異なる場合でも、左ベース部分の横幅調節を行なうだけで操作簡単に、ベース部を脱穀装置の下方に適確にかつ安定的に位置させて、左右の支持アームにシーブケースを適確に支持させることができる。
【００２４】
本発明においては、前記後支持部に、前記ベース部に立設された後支柱と、前記後支柱の左右両側から前向きに突出され、前記シーブケースの後部を支持する左右の支持アームと、が備えられ、前記左右の支持アームの左右間隔が変更可能であり、かつ、前記左右の支持アームの高さ位置が変更可能であると好適である。
【００２５】
本構成によると、脱穀装置や機体の横幅や高さ位置が異なる場合、脱穀装置や機体の横幅や高さに対応させて左右の支持アームの左右間隔や左右の支持アームの高さ位置を変更できるので、脱穀装置や機体の横幅や高さ位置が異なる場合でも、左右の支持アームにシーブケースを適確に支持させることができる。
【００２６】
本発明においては、前記左右の支持アームの前記後支柱から前方への突出長さを変更可能であると好適である。
【００２７】
本構成によると、脱穀装置の機体に対する前後位置や、シーブケースの開口部に対する前後位置が異なる場合、脱穀装置の機体に対する前後位置や、シーブケースの開口部に対する前後位置に対応させて左右の支持アームの後支柱から前方への突出長さを変更できるので、脱穀装置の機体に対する前後位置や、シーブケースの開口部に対する前後位置が異なる場合でも、左右の支持アームにシーブケースを適確に支持させることができる。
【００２８】
本発明においては、前記左右の支持アームの前端部に、前向きに開口し、前記シーブケースの揺動軸を挿入可能な受部と、前記受部の開口を開閉して、前記揺動軸の前記受部からの抜け出しを規制可能なロック部と、が備えられていると好適である。
【００２９】
本構成によると、支持アームを揺動軸の後方から揺動軸に到達することによって、揺動軸が受部に開口から入り込み、揺動軸が受部に入り込むと、開口をロック部によって閉じることにより、揺動軸が受部から抜け出なくなって支持アームが揺動軸を支持する。これにより、開口をロック部によって閉じる簡単な操作をするだけで、後支持部によるシーブケースの引き出しが可能になる。
【００３０】
本発明においては、前記後支持部に、前記左右の支持アームとは別のアタッチメントの取付けが可能であると好適である。
【００３１】
本構成によると、左右の支持アームとは別のアタッチメントを取付けることにより、後支持部がシーブケースを支持する機能とは異なる機能を備えるので、シーブケースの出し入れとは別の用途にメンテナンス治具を利用できる。
【００３２】
本発明においては、前記ベース部の前部に、前記前支持部とは別のアタッチメントの取付けが可能であると好適である。
【００３３】
本構成によると、前支持部とは別のアタッチメントの取付けることにより、ベース部の前部がシーブケースを支持する機構とは別の機能を備えるので、シーブケースの出し入れとは別の用途にメンテナンス治具を利用できる。
【００３４】
別の本発明は、
収穫機において、作物を刈り取るバリカン型の刈取装置のうちの刈刃を、着脱する際に用いられるメンテナンス治具であって、
作業床に対して平面移動自在であり、前記刈取装置の下方に差し込み可能なベース部と、
前記ベース部に立設されて、前記刈刃を支持可能な支持部と、が備えられている。
【００３５】
本構成によると、支持部に刈刃を支持させた状態でベース部を平面移動させることにより、刈刃の荷重をベース部に支持させつつ、刈刃を刈取装置から取り出したり、刈刃を刈取装置に取付けたりすることができるので、ベース部を平面移動させる軽い作業負担で刈刃を着脱できる。
【００３６】
本発明においては、前記支持部は、前記刈刃を下向きの状態で保持可能な第１支持状態と、前記刈刃を水平の状態で保持可能な第２支持状態と、に状態変更可能であると好適である。
【００３７】
本構成によると、例えば、刈刃を刈取装置から取出すとき、支持部を第１支持状態にすることにより、刈刃が下向き状態で保持されるので、刈刃の奥行き方向に沿う方向の重力が刈刃に作用して刈刃が曲がり変形しにくくて刈刃を刈取装置から取出しやすい。刈刃を刈取装置から取出した後、支持部を第２支持状態にすることにより、刈刃が水平の状態で保持されるので、楽な作業姿勢で刈刃を研磨や補修できてメンテナンスを行ないやすい。つまり、刈刃の取出し時や取出し後の保持姿勢を好都合な姿勢に設定できる。
【００３８】
さらに別の本発明は、
収穫機において、脱穀装置の後部に設けられて排稈を細断処理する排稈細断装置のうちの回転刃を、着脱する際に用いられるメンテナンス治具であって、
作業床に対して平面移動自在であり、前記排稈細断装置の下方に差し込み可能なベース部と、
前記ベース部に立設されて、前記回転刃を支持可能な支持部と、が備えられている。
【００３９】
本構成によると、支持部に回転刃を支持させた状態でベース部を平面移動させることにより、回転刃の荷重をベース部に支持させつつ、回転刃を排稈細断装置から取り出したり、回転刃を排稈細断装置に取付けたりすることができるので、ベース部を平面移動させる軽い作業負担で回転刃を着脱できる。
【図面の簡単な説明】
【００４０】
【図１】コンバインの全体を示す左側面図である。
【図２】脱穀装置を示す縦断側面図である。
【図３】メンテナンス治具の全体を示す斜視図である。
【図４】後支持部の縦断面図である。
【図５】支持アームの側面図である。
【図６】前支持部の縦断面図である。
【図７】シーブケースの取出し要領を示す説明図である。
【図８】シーブケースの取出し要領を示す説明図である。
【図９】シーブケースの取出し要領を示す説明図である。
【図１０】シーブケースの取出し要領を示す説明図である。
【図１１】シーブケースの取出し要領を示す説明図である。
【図１２】シーブケースの取出し要領を示す説明図である。
【図１３】シーブケースの取出し要領を示す説明図である。
【図１４】シーブケースの取出し要領を示す説明図である。
【図１５】シーブケースの取出し要領を示す説明図である。
【図１６】第１の支持部及び第２の支持部が装着されたメンテナンス治具の全体を示す斜視図である。
【図１７】刈刃支持部の斜視図である。
【図１８】上下向き姿勢、かつ刈刃保持状態での刈刃支持部を示す側面図である。
【図１９】前後向き姿勢、かつ刈刃保持状態での刈刃支持部を示す側面図である。
【図２０】刈刃の取出し要領を示す説明図である。
【図２１】下向き姿勢、かつ可動刃の刃部が固定刃の刃部に対して位置ずれした状態での刈刃を示す正面図である。
【図２２】下向き姿勢、かつ可動刃及び可動刃の刃先側が刃先保持穴に挿入された状態での刈刃を示す正面図である。
【図２３】刈刃の取出し要領を示す説明図である。
【図２４】刈刃の取出し要領を示す説明図である。
【図２５】回転刃の取出し要領を示す説明図である。
【図２６】耕耘爪の取出し要領を示す説明図である。
【発明を実施するための形態】
【００４１】
以下、本発明の実施の形態を図面に基づいて説明する。
メンテナンス治具Ａ（図３参照）は、図１に示される如きコンバインＫにおいて、脱穀装置７のうちのシーブケース３４を出し入れする際に使用するものである。
【００４２】
〔コンバインＫの全体の構成について〕
以下の説明では、コンバインＫの機体１に関し、図１に示される矢印Ｆの方向を「機体前方」、矢印Ｂの方向を「機体後方」、紙面表側の方向を「機体左方」、紙面裏側の方向を「機体右方」とする。
【００４３】
コンバインＫは、図１に示されるように、バー形の部材が組わせて構成された機体１、及び、機体１の両横側部に装備されたクローラ式の走行装置２を備えている。機体１の前部における横一側部に運転部３が設けられている。運転部３には、操縦空間を覆うキャビン３Ａが備えられている。運転部３の下方に、エンジンを有する原動部が設けられている。機体１の前部における運転部側と反対側の横側部に、圃場の稲、麦などの作物を収穫する刈取部４が支持されている。刈取部４は、刈取部フレーム５が昇降シリンダ６の伸縮によって上下に揺動操作されることによって、下降作業状態と上昇非作業状態とにわたって昇降操作される。機体１の後部に脱穀装置７及び穀粒タンク８が設けられている。脱穀装置７の後部に、脱穀処理後の排稈を細断処理する排稈細断装置９が設けられている。穀粒タンク８の後部に、穀粒タンク８から脱穀粒を排出する穀粒排出装置１０が接続されている。
【００４４】
〔刈取部４の構成について〕
刈取部４においては、図１に示されるように、刈取部４の前端部にデバイダ１１が設けられ、デバイダ１１の後側に引起装置１２が設けられている。作物としての稲、麦などの植立茎稈がデバイダ１１によって引起装置１２に導入され、引起装置１２によって引起し処理される。引起装置１２の下部の後方に刈取装置１３が設けられ、刈取装置１３の上方から供給搬送装置１４が脱穀装置７に向けて設けられている。引起し処理される植立茎稈の株元が刈取装置１３によって切断されて、作物としての稲、麦などの収穫が行われ、収穫された作物としての刈取茎稈が供給搬送装置１４によって脱穀装置７の前部へ搬送される。
【００４５】
〔刈取装置１３の構成〕
刈取装置１３は、図２１に示されるように、バリカン型の刈取装置によって構成されている。刈取装置１３は、機体横幅方向に並ぶ複数の分草杆１５の下方に機体横幅方向に延びる状態で設けられた刈刃１６を備えている。刈刃１６は、固定刃１７、及び、固定刃１７の上面側にスライド可能に設けられた可動刃１８を備えている。固定刃１７は、機体横幅方向に延びる台部材１９に固定されている。可動刃１８は、ナイフバー２０などを介して台部材１９にスライド可能に支持されている。図２１，２２に示されるように、台部材１９の機体横幅方向での複数箇所に支持ピン２１が設けられている。各支持ピン２１は、支持フレーム２２に備えられた支持筒部２２ａに支持筒部２２ａの横方向から脱着可能に挿入されている。支持フレーム２２は、複数の分草杆１５に支持されている。
【００４６】
刈刃１６は、台部材１９及び支持ピン２１を介して支持フレーム２２に支持され、支持ピン２１を揺動支点にして、支持フレーム２２に対して下降揺動した下向き姿勢（図２３に二点鎖線で示される姿勢）と、支持フレーム２２に対して上昇揺動した作業用の前向き姿勢（図２３に実線で示される姿勢）とにわたって姿勢変更可能な状態で支持されている。図２３に示されるように、刈刃１６は、前向き姿勢にされた場合、台部材１９から延出する固定アーム２３が分草杆１５の支持部１５ａに連結ボルトによって連結されることにより、前向き姿勢に保持される。固定アーム２３の分草杆１５に対する連結を解除した状態において、各支持ピン２１を支持筒部２２ａに対して抜き差しすることにより、刈刃１６を台部材１９と共に刈取装置１３に対して脱着できる。
【００４７】
〔脱穀装置７の構成について〕
脱穀装置７は、機体１に支持されている。図２に示されるように、脱穀装置７の上部に脱穀部７Ａが形成されている。脱穀装置７の下部に選別部７Ｂが形成されている。脱穀装置７の後部に開口部２４が形成されている。
【００４８】
脱穀部７Ａにおいては、図２に示されるように、供給搬送装置１４（図１参照）によって搬送された刈取茎稈の株元側が脱穀フィードチェーン２５によって挟持されて脱穀装置７の後方に向けて搬送され、刈取茎稈の穂先側が扱室２６に挿入されて扱胴２７によって脱穀処理される。脱穀処理によって得られた脱穀粒が受網２８の処理物漏下穴から落下する。脱穀処理後の排稈が脱穀フィードチェーン２５によって送塵口２９を介して扱室２６の後外側へ排出される。扱室２６から排出された排稈に混入している脱穀粒が分離ドラム３０によって排稈から掻き出されて脱穀排稈から落下する。分離ドラム３０が作用した後の排稈が排稈搬送装置３１によって脱穀装置７の後外側へ排出される。
【００４９】
選別部７Ｂは、図２に示されるように、脱穀機体３２の内部における扱室２６の下方箇所と、扱室２６の後方箇所とわたって設けられた選別室３３、選別室３３に設けられたシーブケース３４を備えている。シーブケース３４の前部の下方に唐箕３５が設けられている。選別室３３のうちのシーブケース３４の下方箇所に一番スクリューコンベヤ３６及び二番スクリューコンベヤ３７が設けられている。選別室３３のうちのシーブケース３４の後部の上方箇所に、排塵ファン３８が設けられている。
【００５０】
シーブケース３４の内部には、グレンパン３９、チャフシーブ４０、グレンシーブ４１及びストローラック４２が装備されている。シーブケース３４の前端部にローラ４３が支持されている。ローラ４３が回転可能に、かつ、スライド可能に係入する凹入部を有する支持部５１ａが脱穀機体３２の内部に設けられている。シーブケース３４の前端部は、ローラ４３及び支持部５１ａを介して脱穀機体３２に支持され、脱穀機体３２に対して回転可能、かつ、スライド可能になっている。シーブケース３４の後部に、シーブケース３４の横幅方向に延びる揺動軸４４が設けられている。揺動軸４４は、図１１，１５に示されるように、揺動軸４４の一端部に設けられた駆動プーリ４５を有し、エンジンからの動力によって駆動プーリ４５が駆動されることによって回転駆動される。シーブケース３４は、回転駆動される揺動軸４４による揺動操作により、支持部５１ａによって支持される前端側を揺動支点にして後端側が上下動する状態で揺動する。
【００５１】
選別部７Ｂにおいては、受網２８及び分離ドラム３０から落下した脱穀粒などの脱穀処理物がシーブケース３４に入る。シーブケース３４に入った脱穀処理物がシーブケース３４によって揺動操作されるグレンパン３９、チャフシーブ４０、グレンシーブ４１及びストローラック４２によって揺すられて、かつ、唐箕３５によって供給される選別風を受けて、脱穀粒とワラ屑などの塵埃とに選別される。選別された脱穀粒のうちの清粒が一番スクリューコンベヤ３６に流下して一番スクリューコンベヤ３６によって揚穀装置４６に供給され、揚穀装置４６によって穀粒タンク８へ搬送される。選別された脱穀粒のうちの未処理粒が二番スクリューコンベヤ３７に流下して二番スクリューコンベヤ３７によって還元装置４７に供給され、還元装置４７によってシーブケース３４の前部に還元される。選別された塵埃がシーブケース３４の後端部から後方へ排出され、開口部２４から脱穀装置７の後外側へ排出されるか、排塵ファン３８に選別風と共に吸引されて排塵ファン３８から排稈細断装置９における細断ケース９Ａの内部へ排出される。
【００５２】
揺動軸４４の脱穀機体３２による支持が解除された状態にし、ローラ４３が支持部５１ａの凹入部から抜け上がった状態にすることにより、シーブケース３４を脱穀装置７の内部から開口部２４を介して外部に取出すことができる。この場合、ローラ４３が支持部５１ａに連なるガイドレール５１の案内面上を転動していく。すなわち、シーブケース３４を脱穀装置７の内部から開口部２４を介して外部に取り出したり、脱穀装置７の外部から開口部２４を介して内部に入れたりすることができる。
【００５３】
〔排稈細断装置９の構成について〕
図２に示されるように、細断ケース９Ａの上部に、排稈投入口４８、及び、排稈投入口４８を開閉する揺動蓋４９が設けられている。細断ケース９Ａの内部に一対の回転刃５０が回転可能に設けられている。
【００５４】
排稈細断装置９は、細断ケース９Ａの横一端部に設けられた脱穀装置上下向きの支軸を揺動支点にして、細断ケース９Ａが脱穀装置７の後部に沿うと共に細断ケース９Ａの開口が閉じられた使用位置と、細断ケース９Ａが脱穀装置７の後部から後横側に離れると共に細断ケース９Ａの開口が開いたメンテナンス位置とに亘って位置変更可能な状態で脱穀装置７に支持されている。
【００５５】
排稈細断装置９においては、排稈細断装置９が使用位置に位置変更され、かつ、排稈投入口４８が開けられることにより、排稈搬送装置３１によって排出された排稈が排稈投入口４８を介して細断ケース９Ａの内部に落下し、一対の回転刃５０に巻き込まれて一対の回転刃５０によって稈身方向に細断される。細断状態になった排稈が細断ケース９Ａの下部から脱穀装置７の後方へ排出される。
【００５６】
〔メンテナンス治具Ａの構成について〕
以下の説明では、メンテナンス治具Ａに関し、図３に示される矢印Ｆ１の方向を「治具前方」、矢印Ｂ１の方向を「治具後方」、矢印Ｌ１の方向を「治具左方」、矢印Ｒ１の方向を「治具右方」とする。
【００５７】
メンテナンス治具Ａは、図３に示されるように、ベース部６０と、後支持部７０と、前支持部９０と、を備えている。
【００５８】
〔ベース部６０の構成〕
ベース部６０は、図３に示されるように、左右一対の前後向きベース部６１と、左右の前後向きベース部６１の後部を連結する横向きベース部６２と、を備えている。左右の前後向きベース部６１は、メンテナンス治具Ａの前後方向に沿う方向に、かつ、コンバインＫの機体１の前後方向に沿う方向に延びている。本実施形態では、左右の前後向きベース部６１及び横向きベース部６２は、角筒部材によって構成されているが、これに限らない。前後向きベース部６１及び横向きベース部６２を構成する部材としては、丸筒部材、中実部材、アングル部材など、どのような部材を採用してもよい。ベース部６０は、ベース部６０の前後方向長さがシーブケース３４の前後長さの半分以上の長さとなるように構成されている。
【００５９】
ベース部６０の両横端側の下部における前後の２箇所にキャスタ輪６３が装着されている。ベース部６０を地面などの作業床Ｇ（図７参照）に対して平面移動させることがキャスタ輪６３によって可能になっている。図３，１１などに示されるように、ベース部６０の前部に、平面視において前向きに開口する凹入部６４が備えられている。図８，１２，１５に示されるように、ベース部６０をコンバインＫの後方から機体１に向けて移動させるに伴って脱穀装置７の下方に位置する走行装置２が凹入部６４に進入し、ベース部６０を機体１の下方における脱穀装置７の下方箇所に差し込むことが可能になっている。
【００６０】
ベース部６０及び凹入部６４の横幅変更が可能に構成されている。具体的には、図３に示されるように、横向きベース部６２の中間部から後支持部７０の後支柱７１が立設されている。横向きベース部６２には、後支柱７１が立っている右横向きベース部分６２ａと、右横向きベース部分６２ａにスライド伸縮可能に連結された左横向きベース部分６２ｂと、が備えられている。左横向きベース部分６２ｂをスライド調節することにより、ベース部６０のうちの後支柱７１よりも左側の左ベース部分６０Ｌにおける横幅を変更できる。左ベース部分６０Ｌは、左横向きベース部分６２ｂ及び左の前後向きベース部６１によって構成される。左ベース部分６０Ｌの横幅を広くするほど、ベース部６０の横幅及び凹入部６４の横幅がより広くなる。左ベース部分６０Ｌの横幅を狭くするほど、ベース部６０の横幅及び凹入部６４の横幅がより狭くなる。左ベース部分６０Ｌの横幅を変更した場合、右横向きベース部分６２ａのピン穴と、左横向きベース部分６２ｂのピン穴６６とにわたってロックピン６５を装着することにより、左横向きベース部分６２ｂが調節位置に固定され、ベース部６０の横幅及び凹入部６４の横幅の広さが変化した広さに保持される。
【００６１】
〔後支持部７０の構成〕
後支持部７０は、図３，８，１２に示されるように、ベース部６０の後部に立設され、開口部２４を介してシーブケース３４の後部を支持することが可能に構成されている。
【００６２】
具体的には、後支持部７０は、図３に示されるように、ベース部６０の後部としての横向きベース部６２から立設された後支柱７１と、後支柱７１の左右側から前方向きに突出された支持アーム７２と、を備えている。左右の支持アーム７２は、後支柱７１に備えられた横向きアーム部７３のうちの後支柱７１よりも左側に位置する部位と、横向きアーム部７３のうちの後支柱７１よりも右側に位置する部位とから各別に前方向き延出されている。これにより、左右の支持アーム７２は、後支柱７１の左右側から前方向きに突出している。本実施形態では、左右の支持アーム７２及び横向きアーム部７３は、角筒部材によって構成されているが、これに限らない。例えば、支持アーム７２及び横向きアーム部７３を構成する部材としては、丸筒部材、中実部材、アングル部材など、どのような部材を採用してもよい。
【００６３】
左右の支持アーム７２において、図３，５に示されるように、支持アーム７２の先端部に、前向きの開口７４ａを有する受部７４と、ロック部７５と、が備えられている。ロック部７５は、支軸７６を回転中心にして回転操作可能な状態で支持アーム７２に支持されている。ロック部７５の先端側にロック爪７５ａが備えられている。ロック部７５は、回転操作されることにより、図５に二点鎖線で示される如くロック爪７５ａによって開口７４ａを閉じるロック状態と、図５に実線で示される如くロック爪７５ａによる開口７４ａの閉じを解除するロック解除状態とに切り換わる。
【００６４】
左右の支持アーム７２においては、ベース部６０が機体１の下方に差し込まれると、支持アーム７２の先端側が開口部２４から脱穀装置７の内部に入り、支持アーム７２の先端部が揺動軸４４に後方から到達する。支持アーム７２の先端部が揺動軸４４に到達すると、ロック部７５が重力によってロック解除状態になっているので、揺動軸４４が受部７４に開口７４ａから入り込む。揺動軸４４が受部７４に入り込むと、ロック部７５をロック状態に切り換える。ロック部７５は、ロック状態になると、揺動軸４４に上方から被さり、揺動軸４４によってロック状態に保持され、揺動軸４４の受部７４からの抜け出しがロック部７５によって規制される。これにより、左右の支持アーム７２によるシーブケース３４の後部としての揺動軸４４の支持が可能である。
【００６５】
後支持部７０は、左右の支持アーム７２の左右間隔を変更できるように、かつ、左右の支持アーム７２の高さ位置を変更できるように、さらに、左右の支持アーム７２の後支柱７１から前方への突出長さを変更できるように構成されている。
【００６６】
すなわち、左右の支持アーム７２において、図３，５に示されるように、支持アーム７２は、支持アーム７２と横向きアーム部７３とに外嵌する連結部材７７を介して横向きアーム部７３に連結される。連結部材７７は、支持アーム７２及び横向きアーム部７３に相対スライド可能に外嵌されている。連結部材７７は、連結部材７７の下部に装着されたネジ部材７７ａによる締め付け力によって支持アーム７２と横向きアーム部７３とを互いに圧接させることにより、支持アーム７２を横向きアーム部７３に締め付け固定する。
【００６７】
ネジ部材７７ａによる連結部材７７の締め付けを解除することにより、支持アーム７２を連結部材７７と共に横向きアーム部７３に対して横向きアーム部７３の長手方向にスライド操作することができる。支持アーム７２を横向きアーム部７３に対してスライド操作することにより、横向きアーム部７３における支持アーム７２の取付け位置を変更できる。左右の支持アーム７２のうちの少なくとも一方の支持アーム７２を横向きアーム部７３に対してスライド操作することにより、左右の支持アーム７２の左右間隔が変化する。
【００６８】
ネジ部材７７ａによる連結部材７７の締め付けを解除することにより、横向きアーム部７３における連結部材７７の取付け位置を変更しないで、支持アーム７２を連結部材７７に対して前後方向にスライド操作することができる。支持アーム７２を連結部材７７に対してスライド操作することにより、支持アーム７２の横向きアーム部７３に対する連結位置を変更できる。支持アーム７２を連結部材７７に対してスライド操作することにより、支持アーム７２の後支柱７１から前方への突出長さが変化する。
【００６９】
図３，４に示されるように、後支柱７１の横向きアーム部７３は、横向きアーム部７３の中間部に連結された連結部材７８、連結部材７８における両横側部の上下２箇所に支持された輪体７９を介して後支柱７１のガイドレール部７１ａに支持されている。後支柱７１の内部に後支柱７１の上下方向に沿った方向のリフト軸８０が設けられている。リフト軸８０は、ネジ軸によって構成されている。リフト軸８０の上下両端部は、後支柱７１に相対回転可能に支持されている。リフト軸８０の上端部は、図４に示されるように、リフト軸８０に外嵌された筒部材８１を介して後支柱７１の支持穴に相対回転可能に支持されている。筒部材８１は、筒部材８１の上下側でリフト軸８０に装着されたネジ部材８２を介してリフト軸８０に相対回転不能に、かつ、スライド不能に固定されている。リフト軸８０は、図４に示されるように、連結部材７８に溶接によって固定されたネジ部材８３に係合されている。リフト軸８０の上端部にハンドル８４が相対回転不能に設けられている。ハンドル８４とネジ部材８２とが溶接され、ネジ部材８２とリフト軸８０とが溶接されている。これにより、ハンドル８４は、ネジ部材８２を介してリフト軸８０に相対回転不能に連結され、ハンドル８４によってリフト軸８０を回転操作することが可能になっている。リフト軸８０が回転操作されることにより、ネジ部材８３とリフト軸８０との係合によって連結部材７８がガイドレール部７１ａに案内されて後支柱７１に対して昇降操作され、横向きアーム部７３が連結部材７８によって昇降操作されて左右の支持アーム７２が後支柱７１に対して昇降される。すなわち、ハンドル８４が回転操作されることにより、左右の支持アーム７２の高さ位置が変化する。
【００７０】
〔前支持部９０の構成〕
前支持部９０は、図３，１０に示されるように、ベース部６０の前部に立設されてシーブケース３４の前部を支持することが可能に構成されている。
【００７１】
具体的には、前支持部９０は、図３，６に示されるように、左右の前後向きベース部６１の前部に各別に立設される左右一対の支柱部９１と、左の支柱部９１の上部と右の支柱部９１の上部とにわたって横架される支持杆部９２と、を備えている。前支持部９０は、図１０に示されるように、シーブケース３４のうち、後支持部７０によって支持される部位（揺動軸４４）よりも前側の部位をシーブケース３４の前部として支持杆部９２によって下方から受け止め支持するよう構成されている。本実施形態では、シーブケース３４のうちチャフシーブ４０の前部に対応する部位を支持杆部９２によって支持するよう構成されているがこれに限らない。シーブケース３４の前後長さや、シーブケース３４の前後方向での重量配分などによっては、チャフシーブ４０の前部に対応する部位に限らず、どのような部位を前支持部９０によって支持するべき部位として設定してもよい。
【００７２】
前支持部９０は、シーブケース３４を支持する高さを変更できるように構成されている。
具体的には、左右の支柱部９１において、図３，６に示されるように、支柱部９１に下支柱部９３と上支柱部９４とが備えられている。下支柱部９３は、前後向きベース部６１の支柱形の支持部９５に上下スライド可能に外嵌される。支持部９５は、ネジ軸によって構成されている。下支柱部９３を下方から受け止め、下支柱部９３の支持部９５に対する取付け高さを設定するストッパー部材９６が支持部９５に外嵌され、かつ、支持部９５に係合されている。ストッパー部材９６がハンドル９７によって回転操作されることにより、ストッパー部材９６が支持部９５に対して昇降し、下支柱部９３がストッパー部材９６の昇降によって支持部９５に対して昇降し、下支柱部９３の支持部９５に対する取付け高さが変化する。
【００７３】
上支柱部９４の上部に支持杆部９２を脱着可能に支持する支持杆支持部９８が備えられている。図６に示されるように、上支柱部９４は、下支柱部９３に上下スライド可能に外嵌される。上支柱部９４の上下方向での複数箇所にピン穴９４ａが設けられている。上支柱部９４のピン穴９４ａと下支柱部９３のピン穴９３ａとにわって脱着可能な連結ピン９９が装着されることによって、上支柱部９４が下支柱部９３にスライド不能に連結される。連結ピン９９を装着する上支柱部９４のピン穴９４ａが変更されることにより、上支柱部９４の下支柱部９３に対する連結高さが変化する。
【００７４】
下支柱部９３の支持部９５に対する取付け高さの変更、及び、上支柱部９４の下支柱部９３に対する連結高さの変更の少なくとも一方の変更を行なうことにより、前支持部９０がシーブケース３４を支持する高さを変更できる。下支柱部９３の支持部９５に対する取付け高さの変更による前支持部９０のシーブケース支持高さの変更は、上支柱部９４の下支柱部９３に対する連結高さの変更による前支持部９０のシーブケース支持高さの変更よりも微細にできる。
【００７５】
左右の支柱部９１は、下支柱部９３を支持部９５に対して脱着することによってベース部６０に対して脱着できる。前支持部９０は、左右の支柱部９１のベース部６０に対する脱着によってベース部６０に対して脱着できる。支持杆部９２は、左右の支柱部９１に対して脱着できる。
【００７６】
メンテナンス治具Ａによるシーブケース３４の取出しは、図７〜１５に示される取出し要領に基づいて行う。
【００７７】
脱穀装置７の横幅、脱穀装置７の走行装置２に対する左右位置、走行装置２の横幅などに対応させて、ベース部６０の横幅及び凹入部６４の横幅を調節する。また、脱穀装置７の横幅、脱穀装置７の高さ、脱穀装置７の機体１に対する前後位置、シーブケース３４の開口部２４に対する前後位置などに対応させて、左右の支持アーム７２の左右間隔、左右の支持アーム７２の高さ位置、左右の支持アーム７２の後支柱７１から前方への突出長さを調節する。
【００７８】
ベース部６０、凹入部６４、左右の支持アーム７２の調節ができると、図７，８，１１，１２，１５に示されるように、地面などの作業床Ｇに位置させたコンバインＫの後方からメンテナンス治具Ａを機体１に向けて移動させ、脱穀装置７の下方の走行装置２が凹入部６４に進入する状態で、ベース部６０を機体１の下方に差し込む。このとき、図７，８に示されるように、排稈細断装置９をメンテナンス位置に位置変更しておき、開口部２４の後方に作業スペースを現出させておく。また、図７，８に示されるように、前支持部９０をベース部６０の差し込み障害にならないように外しておく。
【００７９】
図８，１２に示されるように、ベース部６０が機体１の下方に入り込むと、左右の支持アーム７２の先端側が開口部２４から脱穀装置７の内部に入って左右の支持アーム７２の先端部が揺動軸４４に到達し、揺動軸４４が左右の支持アーム７２によって支持される。すなわち、シーブケース３４の後部としての揺動軸４４が後支持部７０によって支持される。揺動軸４４が後支持部７０によって支持されると、ハンドル８４を回転操作して左右の支持アーム７２を少し上昇させ、シーブケース３４の後端側を持ち上げてシーブケース３４のローラ４３を支持部５１ａの凹入部から抜き出す。
【００８０】
ローラ４３が凹入部から出ると、図９，１３に示されるように、メンテナンス治具Ａを後方側に移動操作する。すると、図９，１３に示されるように、シーブケース３４が後支持部７０によって後方側に引き移送され、シーブケース３４の後部が脱穀装置７の内部から開口部２４を介して外部に出る。このとき、シーブケース３４のローラ４３がガイドレール５１の案内面上を転動し、シーブケース３４の前側は、ガイドレール５１に支持されている。
【００８１】
図９，１３に示されるように、シーブケース３４のうちの前支持部９０によって支持させるべき前部が開口部２４から外部に引き出されると、ローラ４３がガイドレール５１から外れないうちに、前支持部９０をベース部６０に取り付けて、シーブケース３４の前部を前支持部９０によって支持させる。このとき、シーブケース３４の前部を支持する前支持部９０の高さを適切な高さに調節し、シーブケース３４が後支持部７０及び前支持部９０によって安定的に支持されるようにする。
【００８２】
シーブケース３４が安定的に支持される状態になると、図１０，１４に示されるように、メンテナンス治具Ａを更に後方に移動させる。すると、シーブケース３４が後支持部７０によって更に後方側に引き移送され、シーブケース３４の全体が脱穀装置７の内部から外部に出る。
【００８３】
メンテナンス治具Ａによるシーブケース３４の入れ込みは、上記した取出しの場合の順序と逆の順序で、メンテナンス治具Ａを操作することにより、シーブケース３４が後支持部７０によって開口部２４から脱穀装置７の内部に押し込まれ、シーブケース３４の全体が脱穀装置７の内部に収まる。
【００８４】
〔第１のアタッチメントの構成〕
メンテナンス治具Ａには、図１６に示されるように、第１のアタッチメントとしての第１の支持部１００が備えられている。第１の支持部１００は、ベース部６０に立設されて刈取装置１３の刈刃１６を支持するものである。
【００８５】
具体的には、第１の支持部１００は、前支持部９０とは別のアタッチメントであり、ベース部６０の左右の支持部９５に前支持部９０の支柱部９１に代えて支持させる左右一対の第１支持体１０１を備えている。
【００８６】
左右の第１支持体１０１は、図１６に示されるように、下支柱部９３と上支柱部１０２とを備えている。下支柱部９３は、前支持部９０における支柱部９１の下支柱部９３の構成と同じ構成を有し、前支持部９０における支柱部９１と、第１の支持部１００における第１支持体１０１とにおいて、下支柱部９３として共用される。上支柱部１０２は、下支柱部９３に上下スライド可能に外嵌される。上支柱部１０２は、下支柱部９３に外嵌されたとき、上支柱部１０２のピン穴と下支柱部９３のピン穴とにわたって脱着可能な連結ピンが装着されることによって、下支柱部９３にスライド不能に連結される。上支柱部１０２の上下複数箇所に設けられているピン穴から選択した一つのピン穴に連結ピンを装着することにより、上支柱部１０２の下支柱部９３に対する連結高さを変更できる。刈取装置１３は、刈取部４を上昇させても、シーブケース３４より低く位置する。これにより、第１支持体１０１は、上支柱部１０２の長さが前支持部９０の上支柱部９４の長さよりも短いように構成されている。
【００８７】
図１６，１７に示されるように、上支柱部１０２の上部に刈刃支持部１０３が設けられている。刈刃支持部１０３には、脱着可能な刈刃ホルダー１０４が備えられている。刈刃支持部１０３の刈刃保持部には、刃先保持穴１０５が備えられている。刈刃支持部１０３は、図１８，１９に示されるように、固定刃１７の刃部の刃先側、及び、可動刃１８の刃部の刃先側が刃先保持穴１０５に挿入され、刈刃ホルダー１０４が連結ボルト１０６によって刈刃支持部１０３に締め付け連結されることにより、刈刃１６の長手方向での一部を保持する状態になる。
【００８８】
図１８，１９に示されるように、刈刃支持部１０３は、上支柱部１０２の上部１０２ａに連結ピン１０７を介して支持され、連結ピン１０７を揺動支点にして上下向き姿勢と前後向き姿勢とにわたって姿勢変更可能な状態で支持されている。刈刃支持部１０３は、図１８に示されるように、上下向き姿勢になった場合、刈刃保持部が前向きになり、図１９に示されるように、前後向き姿勢になった場合、刈刃保持部が上向きになる。
【００８９】
第１の支持部１００は、左右の第１支持体１０１における刈刃支持部１０３が刈刃１６の一部を台部材１９と共に脱着可能に保持することにより、刈刃１６の全体を台部材１９と共に脱着可能に支持する状態になる。第１の支持部１００は、左右の刈刃支持部１０３が上下向き姿勢に姿勢変更されることによって第１支持状態になり、左右の刈刃支持部１０３が前後向き姿勢に姿勢変更されることによって第２支持状態になる。第１支持状態になった第１の支持部１００には、刈刃１６を下向きの状態で保持させることができる。第１支持状態になった第１の支持部１００には、刈刃１６を水平の状態で保持させることができる。
【００９０】
メンテナンス治具Ａは、第１のアタッチメントとしての第１の支持部１００が装着されることにより、刈取装置１３のうちの刈刃１６を着脱する機能を備える。
【００９１】
第１の支持部１００が装着されたメンテナンス治具Ａによる刈刃１６の取外しは、図２０〜２４に示される取外し要領に基づいて行う。
【００９２】
図２０に示されるように、地面などの作業床Ｇに位置させ、かつ、刈取部４を上昇させたコンバインＫの前方からメンテナンス治具Ａを刈取装置１３に向けて移動させ、ベース部６０の前側を刈取装置１３の下方に差し込んで第１の支持部１００を刈刃１６の下方に位置させる。
【００９３】
第１の支持部１００が刈刃１６の下方に位置すると、図２１に示されるように、図２３に二点鎖線で示されるように、固定アーム２３の分草杆１５に対する連結を解除し、刈刃１６を前向き姿勢から下向き姿勢に姿勢変更させる。固定アーム２３は、左右の第１支持体１０１の間に位置する。
【００９４】
刈刃１６が下向き姿勢になると、可動刃１８をスライド操作し、図２１に示される如く可動刃１８の刃部が固定刃１７の刃部に対して位置ずれする状態から、図２２に示される如く可動刃１８の刃部と固定刃１７の刃部とが重なり合う状態に刈刃１６の状態を変更する。
【００９５】
可動刃１８の刃部と固定刃１７の刃部とが重なり合うと、左右の第１支持体１０１において、図２２，２３に示されるように、ストッパー部材９６を回転操作して第１支持体１０１を上昇させる。このとき、左右の刈刃支持部１０３を図２２，２３，２４に示されるよ如く上下向き姿勢にして、第１の支持部１００を第１支持状態にしておき、重なり合った状態にある可動刃１８の刃部及び固定刃１７の刃部の刃先側を刃先保持穴１０５に挿入させる。刃先側の刃先保持穴１０５への挿入が完了すると、左右の刈刃支持部１０３に、図１８，２２に示される如く刈刃ホルダー１０４を装着する。すると、刈刃１６が下向き姿勢で台部材１９と共に第１の支持部１００に支持される。
【００９６】
刈刃１６が第１の支持部１００に支持されると、メンテナンス治具Ａを横移動させる。すると、図２２に示されるように、刈刃１６が支持フレーム２２に対して横移動して各支持ピン２１が支持筒部２２ａから抜け出し、台部材１９が支持フレーム２２から外れて、刈刃１６が刈取装置１３から外れる。刈刃１６が刈取装置１３から外れると、メンテナンス治具ＡをコンバインＫの前方側に移動させてベース部６０を刈取部４の下方から刈取部４の前外側に出すことにより、刈刃１６を刈取部４の前外側に運び出すことができる。刈刃１６を刈取装置１３から外したり、刈取装置１３から外れた刈刃１６を運んだりするとき、刈刃１６が下向き姿勢で保持されていて曲がり変形しにくい。
【００９７】
刈刃１６を外部に運び出した場合、第１の支持部１００を第１支持状態から第２支持状態に状態変更すると、刈刃１６が図１９に示されるように水平の状態で支持され、刈刃１６を研磨や補修しやすい。
【００９８】
第１の支持部１００が装着されたメンテナンス治具Ａによる刈刃１６の取付けは、上記した取出しの場合の順序と逆の順序で、メンテナンス治具Ａを操作することにより、台部材１９が支持フレーム２２に連結され、刈刃１６が刈取装置１３に付く。
【００９９】
〔第２のアタッチメントの構成〕
メンテナンス治具Ａには、図１６に示されるように、第２のアタッチメントとしての第２の支持部１１０が備えられている。第２の支持部１１０は、ベース部６０の後部に立設されて排稈細断装置９の回転刃５０を支持するものである。
【０１００】
具体的には、第２の支持部１１０は、左右の支持アーム７２とは別のアタッチメントであり、後支持部７０に支持される左右一対の第２支持体１１１を備えている。
【０１０１】
左右の第２支持体１１１は、図１６に示されるように、回転刃支持アーム１１２と、回転刃支持アーム１１２の下部を先端側で支持する取付杆１１３と、を備えている。回転刃支持アーム１１２の上部に回転刃受部１１４が備えられている。回転刃受部１１４は、回転刃５０のうちの円盤刃どうしの間に入り込んで回転刃５０のうちの回転軸部５０ａ（図２参照）を下方から受け止め支持するように構成されている。
【０１０２】
左右の第２支持体１１１は、図１６に示されるように、後支持部７０の横向きアーム部７３に脱着可能に支持させるように構成されている。具体的には、支持アーム７２の横向きアーム部７３に支持される姿勢を、受部７４が横向きアーム部７３よりも前側に位置する前向き姿勢から、受部７４が横向きアーム部７３よりも後側に位置する後向き姿勢に姿勢変更し、後向き姿勢の支持アーム７２の先端側に第２支持体１１１の取付杆１１３を脱着可能に連結するように構成されている。
【０１０３】
これにより、第２の支持部１１０は、後支持部７０に脱着可能に支持される。左右の第２支持体１１１は、後支柱７１に昇降操作可能に支持されている横向きアーム部７３に支持されるので、第２の支持部１１０は、取付高さを変更できる状態で後支持部７０に支持される。
【０１０４】
メンテナンス治具Ａは、第２のアタッチメントとしての第２の支持部１１０が装着されることにより、排稈細断装置９のうちの回転刃５０を着脱する機能を備える。
【０１０５】
第２の支持部１１０が装着されたメンテナンス治具Ａによる回転刃５０の取出しは、図２５に示される取外し要領に基づいて行う。
【０１０６】
図２５に示されるように、地面などの作業床Ｇに位置させ、かつ、排稈細断装置９をメンテナンス位置に位置変更させたコンバインＫの横側方からメンテナンス治具Ａを排稈細断装置９に向けて移動させてベース部６０を排稈細断装置９の下方に差し込み、第２の支持部１１０の左右の回転刃支持アーム１１２を回転刃５０の下方に位置させる。
【０１０７】
左右の回転刃支持アーム１１２が回転刃５０の下方に位置すると、ハンドル８４を回転操作して横向きアーム部７３を上昇させ、第２の支持部１１０を上昇させて左右の回転刃支持アーム１１２の回転刃受部１１４を回転刃５０のうちの回転軸部５０ａに下方から装着する。回転刃受部１１４を回転軸部５０ａに装着できると、メンテナンス治具ＡをコンバインＫの横外側に向けに移動させて第２の支持部１１０を排稈細断装置９から離間させる。すると、回転刃５０が第２の支持部１１０によって細断ケース９Ａの内部から外部に取り出される。
【０１０８】
第２の支持部１１０が装着されたメンテナンス治具Ａによる回転刃５０の取付けは、上記した取出しの場合の順序と逆の順序で、メンテナンス治具Ａを操作することにより、回転刃５０が左右の第２支持体１１１によって細断ケース９Ａの内部に持ち込まれる。
【０１０９】
〔別実施形態〕
（１）上記実施形態では、前支持部９０の高さ位置及び前支持部の長さを変更することにより、前支持部がシーブケースの前部を支持する高さを変更するよう構成された例が示されているが、これに限らない。例えば、高さの異なる前支持部の取り換える構成、あるいは、前支持部の高さ位置だけを変更する構成、あるいは、前支持部の長さのみを変更する構成を採用してもよい。
【０１１０】
（２）上記した実施形態では、後支持部７０の揺動軸４４を支持するよう構成された例を示したがこれに限らない。例えば、シーブケース３４の後枠部など、シーブケース３４を直接に支持するよう構成してもよい。
【０１１１】
（３）上記した実施形態では、シーブケース３４を左右一対の支持アーム７２によって支持するよう構成された例を示したが、これに限らない。例えば、先端側が二又に分れた一つの支持アームなど、どのような構造の支持部材を採用してもよい。
【０１１２】
（４）上記した実施形態では、ベース部６０の横幅及び凹入部６４の横幅を変更できるように構成された例を示したが、これに限らない。例えば、メンテナンス治具Ａを特定の機種のコンバインだけに使用するよう構成する場合、ベース部６０及び凹入部６４の横幅を一定の広さの横幅に固定してもよい。
【０１１３】
（５）上記した実施形態では、シーブケース出し入れ用のメンテナンス治具Ａにアタッチメントによって刈刃脱着の機能や回転刃脱着の機能を備えさせるよう構成された例を示したが、これに限らない。メンテナンス治具をシーブケース出し入れ専用、あるいは刈刃脱着専用、あるいは回転刃脱着専用に構成してもよい。
【０１１４】
（６）メンテンナンス治具Ａは、図２６に示されるように、トラクタのロータリ耕耘装置１２０のうちの耕耘爪１２１の脱着に使用できる。
具体的には、図２６に示されるように、耕耘装置用アタッチメントの左右一対の爪支持体１２２を前支持部９０の左右の支柱部９１に代えてベース部６０の左右の支持部９５に装着する。爪支持体１２２を装着したベース部６０の前端側を、上昇させてあるロータリ耕耘装置１２０の下方に差し込み、上述したコンバインの回転刃５０の取出し作業時と同様の要領で爪支持体１２２の高さ調節をして爪支持体１２２の上部の爪受部１２２ａを耕耘爪１２１の回転軸部１２１ａに下方から装着する。爪受部１２２ａを回転軸部１２１ａに装着できると、メンテナンス治具Ａをロータリ耕耘装置１２０から後方に移動させる。すると、耕耘爪１２１がロータリ耕耘装置１２０から取り出されて後方に引き出される。
【産業上の利用可能性】
【０１１５】
本発明は、クローラ式の走行装置に限らず、車輪、あるいは車輪及びミニクローラが組み合わされた走行装置を備えるコンバインや、コンバイン以外の収穫機に適用できる。
【符号の説明】
【０１１６】
２        走行装置
４        刈取部
７        脱穀装置
１３      刈取装置
１６      刈刃
２４      開口部
３４      シーブケース
４４      揺動軸
６０      ベース部
６０Ｌ    左ベース部分
６４      凹入部
７０      後支持部
７１      後支柱
７２      支持アーム
７４      受部
７４ａ    開口
７５      ロック部
１００    刈刃を支持する支持部（第１のアタッチメント）
１１０    回転刃を支持する支持部（第２のアタッチメント）
【図１】
2019126285.tif 000003
【図２】
2019126285.tif 000004
【図３】
2019126285.tif 000005
【図４】
2019126285.tif 000006
【図５】
2019126285.tif 000007
【図６】
2019126285.tif 000008
【図７】
2019126285.tif 000009
【図８】
2019126285.tif 000010
【図９】
2019126285.tif 000011
【図１０】
2019126285.tif 000012
【図１１】
2019126285.tif 000013
【図１２】
2019126285.tif 000014
【図１３】
2019126285.tif 000015
【図１４】
2019126285.tif 000016
【図１５】
2019126285.tif 000017
【図１６】
2019126285.tif 000018
【図１７】
2019126285.tif 000019
【図１８】
2019126285.tif 000020
【図１９】
2019126285.tif 000021
【図２０】
2019126285.tif 000022
【図２１】
2019126285.tif 000023
【図２２】
2019126285.tif 000024
【図２３】
2019126285.tif 000025
【図２４】
2019126285.tif 000026
【図２５】
2019126285.tif 000027
【図２６】
2019126285.tif 000028